(57)【要約】【課題】  映像記録再生装置において、記録媒体のライブラリ情報を表示することがあるが、記録媒体の種類によっては、使用可能にするために所定の初期処理が必要なものもあり、電源を投入後ライブラリ情報を表示するまでに時間がかかる。着脱可能な記録媒体の場合も同様に記録媒体を挿入してからライブラリ情報を表示するまでに時間がかかるものもある。【解決手段】  そこで、例えば、初期処理に時間がかかる記録媒体を用いた場合に、初期処理の完了前にライブラリ情報を表示等するライブラリ機能や装置を提供する。また、他の画像記録再生装置で記録された記録媒体が挿入された場合にライブラリ情報を自動的に更新するライブラリ機能や装置を提供する。これにより例えば、ライブラリ機能や装置のユーザにとっての利便性を向上できる。【選択図】図２
2008226418.tif 000002
【特許請求の範囲】
【請求項１】
記録媒体取扱装置であって、
記録媒体の初期処理を実行する初期処理実行部と、
前記初期処理の完了前に当該記録媒体の管理情報を取得する管理情報取得部と、
前記管理情報取得部で取得した管理情報に対応するライブラリ情報を出力するライブラリ情報出力部とを有する記録媒体取扱装置。
【請求項２】
請求項１の記録媒体取扱装置であって、
記録媒体の装着を検知する装着検知部を備え、
前記管理情報取得部は、前記スロットに記録媒体が装着されたことを検出すると、当該記録媒体の管理情報を取得する記録媒体取扱装置。
【請求項３】
請求項１の記録媒体取扱装置であって、
前記管理情報取得部は、前記記録媒体取扱装置に電源が投入されると、記録媒体の管理情報を取得する記録媒体取扱装置。
【請求項４】
請求項１の記録媒体取扱装置であって、
前記管理情報取得部で取得した管理情報が、前記記録媒体取扱装置で記憶している管理情報と異なるとき、記録媒体の記録内容を読み出してライブラリ情報を作成し、前記ライブラリ情報出力部で出力したライブラリ情報を作成したライブラリ情報で更新するよう制御する制御部を有する記録媒体取扱装置。
【請求項５】
請求項１の記録媒体取扱装置であって、
前記初期処理は、接続処理と認証処理とを含む記録媒体取扱装置。
【請求項６】
請求項１の記録媒体取扱装置であって、
前記管理情報は、記録媒体毎の固有情報と記録媒体への記録の履歴情報とを含む記録媒体取扱装置。
【請求項７】
記録媒体取扱装置であって、
記録媒体との認証処理を実行する初期処理実行部と、
前記認証処理の完了前に当該記録媒体に対応するライブラリ情報を出力する制御部とを有する記録媒体取扱装置。
【請求項８】
請求項８の記録媒体取扱装置であって、
前記記録媒体に当該記録媒体取扱装置で記録された後に他の記録媒体取扱装置で記録されていたとき、前記制御部で出力したライブラリ情報を出力した後に、当該ライブラリ情報を更新する記録媒体取扱装置。
【請求項９】
記録媒体取扱方法であって、
記録媒体の初期処理を実行し、且つ、前記初期処理の完了前に当該記録媒体の固有情報を取得し、
取得した固有情報に対応するライブラリ情報を出力する記録媒体取扱方法。
【請求項１０】
請求項９の記録媒体取扱方法であって、
前記初期処理の完了前に当該記録媒体の履歴情報を取得し、
前記取得した履歴情報が、前記記録媒体取扱装置で記憶している履歴情報よりも近い時期に記録があったことを示しているとき、前記出力したライブラリ情報を更新して再出力する記録媒体取扱方法。
【発明の詳細な説明】
【技術分野】
【０００１】
技術分野は、着脱可能な記録媒体を取り付けて、そこに記録された情報を再生または記録などが可能な記録再生装置等の記録媒体取扱装置に関する。
【背景技術】
【０００２】
上記技術分野に関連して、特許文献１には、「光ディスクやハードディスク内に記録した画像のライブラリ情報をハードディスク内で一括管理し表示することで、記録画像を容易に識別管理するライブラリ機能を有する画像記録再生装置を提供する」ことを課題とし、その解決手段として「着脱可能な光ディスク１１と内蔵のハードディスク１３に対して画像情報の記録・再生を行う画像記録再生装置であり、光ディスク１１やハードディスク１３に画像を記録する際に、記録画像のライブラリ情報を作成してハードディスクに格納しておく。必要に応じてこのライブラリ情報を編集し表示することで、複数枚の光ディスクやハードディスク内に保有している多くの画像を容易に一括して識別管理することが可能となる」と記載されている。
【０００３】
【特許文献１】特開2002-150754号公報
【発明の開示】
【発明が解決しようとする課題】
【０００４】
上記特許文献1は、ライブラリ情報について考慮されているが、不十分な点がいくつかある。上記特許文献１では光ディスクを着脱可能な記録媒体として用いているが、例えば、記録媒体によっては初期処理（装置と記録媒体間での認証等を含む。記録媒体の記録内容を全て削除するいわゆるフォーマット処理ではない。イニシャライズ、初期化処理、起動処理ともいう）に時間がかかるものもあり、改善が求められる。また、他の画像記録再生装置で記録された場合のライブラリ情報の自動的な更新について考慮がない。
【課題を解決するための手段】
【０００５】
そこで、例えば、初期処理に時間がかかる記録媒体を用いた場合に、初期処理の完了前にライブラリ情報を表示等するライブラリ機能や装置を提供する。また、他の画像記録再生装置で記録された記録媒体が挿入された場合にライブラリ情報を自動的に更新するライブラリ機能や装置を提供する。
【発明の効果】
【０００６】
上記手段によれば、例えば、ライブラリ機能や装置のユーザにとっての利便性を向上できる。
【発明を実施するための最良の形態】
【０００７】
本発明に好適な実施形態の例を説明する。ただし、本発明は本実施形態の例に限定されない。
【０００８】
＜映像記録再生装置の構成例＞
図１は、映像記録再生装置（媒体取扱装置）の回路ブロックの構成例を示す。以下、本実施形態の説明は、映像記録再生装置としてテレビジョン表示装置を例にして説明する。
【０００９】
100はテレビジョン表示装置の全体制御部であり、不揮発性メモリ108に格納されているプログラムに従って演算制御処理等を行う制御部106によって制御される。また、全体制御部100は、リモートコントローラ（以下、「リモコン」と省略する）101により操作可能である。リモコン101からのリモコン信号はリモコン受信部102で受信され、制御部106に伝達される。制御部106は、受信したリモコン信号や操作部103から入力された情報に含まれるコマンドを解析して各部の動作を制御し、表示制御部104を介して表示部109に所定の情報を表示する。出力105は第一記録媒体で、録画した映像コンテンツや後述するライブラリ情報などを記録する。例えば、110は第二記録媒体で、第一記録媒体105と同様に録画コンテンツやライブラリ情報などを記録する。ここで、本実施例においては、第一記録媒体105を内蔵型、第二記録媒体110を着脱可能型と仮定し、着脱可能な第二記録媒体110はスロット107に挿入することにより利用可能になるとする。しかし第一記録媒体105および第二記録媒体110は内蔵型・着脱可能型に限らなくてもよいし、複数存在しても良い。また、スロット107も複数あってもよい。第一記録媒体105の例としては、ＨＤＤ（Hard Disk Drive）、SDRAMなどがあり、着脱可能な第二記録媒体109の例としては、iVDR（information Versatile Disc for Removable usage）と呼ばれるリムーバブルＨＤＤなどがある。
【００１０】
＜ライブラリ情報の説明＞
第一記録媒体105は、記録された映像コンテンツに関するライブラリ情報を記録可能である。このライブラリ情報は、第一記録媒体105に記録された映像コンテンツの情報のみならず、映像記録再生装置を使用して映像コンテンツが記録された着脱可能な第二記録媒体109の映像コンテンツの情報も含んでいる。例えば#1とIDが付された第二記録媒体109をスロット部107に挿入してある番組を録画した場合、その第二記録媒体109のIDと、録画番組の情報（チャンネル、番組タイトル、録画日時等）とをライブラリ情報として第一記録媒体105に格納する（以下、この情報の格納を「ライブラリ登録」と呼ぶ場合もある）。このようにすれば、第二記録媒体109（#1）をスロット部107から取り外しても、そのライブラリ情報は第一記録媒体105に保存されている。従って、本実施例によれば、少なくとも、映像記録再生装置を使用して映像コンテンツが記録されたことのある第二記録媒体109であれば、その録画番組に関するライブラリ情報を映像記録再生装置で構成、表示することができる。
【００１１】
図5は、ライブラリ情報の表示画面（ライブラリ画面と呼ぶ）の一例を示している。図5の例では、第一記録媒体としてＨＤＤ、第二記録媒体としてiVDRを用いている。図5に示されるように、本実施例に係るライブラリ画面は「録画番組一覧」とのタイトルが付され、左側に記録媒体の種類（内蔵ＨＤＤ／外付けiVDR）を選択するための選択項目と、ライブラリ一覧を選択するための選択項目が縦方向に並んで配置されている。
【００１２】
ここで、「録画番組一覧」を選択すると、内蔵ＨＤＤ、及び当該映像記録再生装置にライブラリ登録された外付けiVDRに録画された全番組の一覧が表示される。また「内蔵ＨＤＤ」あるいは「外付けiVDR」の項目を選択すると、選択した記録媒体に録画された番組の一覧が表示される。また「ライブラリ一覧」を選択すると、ライブラリの一覧が表示される。図5の例では、「ライブラリ一覧」を選択し、ライブラリの一覧として「外付けiVDR一覧」が表示されている場合を示している。この「外付けiVDR一覧」は、当該映像記録再生装置に挿入したことがあるiVDRの一覧を示している。図5において、「#1」〜「#5」は、映像記録再生装置が付したiVDRを識別するためのIDで、「#6」以降は「次ページ」を選択することにより閲覧・操作できるような例である。更に、「外付けiVDR一覧」から所望のiVDRに付されたタイトル（iVDRの識別情報）を選択すると、当該iVDRに録画された番組の一覧が右側に表示される。この録画番組の一覧は、各録画番組に対応して、選局（チャンネル）、録画日、録画時間、タイトルが表示される。つまり、図5の例は、「#1」に対応したiVDRのライブラリを選択しており、そのライブラリ情報が表示されている。なお、映像記録再生装置がテレビジョン表示装置でない場合には、ライブラリ情報の出力であってもよく、ライブラリ情報を出力するハードウェアをライブラリ情報出力部ともよぶ。
【００１３】
＜ライブラリ管理情報の説明＞
ライブラリ情報と記録媒体とを関連付けするために、映像記録再生装置は、ライブラリ管理情報として記録媒体をユニークに（一意に）特定することが可能な情報である「固有情報」を記録しておく。例えば、製品毎に付されるシリアル番号である。また、記録媒体が映像記録再生装置に挿入された際に該記録媒体が前回挿入されて以来内容が更新されているかどうかを知るために記録媒体が現在どのような状態にあるかが分かる「履歴情報」を映像記録再生装置および記録媒体に記録しておく。例えば、その媒体への最終記録時間（ここでいう最終記録とは、媒体に対して最近に記録（追加記録、削除、上書き、編集の少なくともいずれかを含む）がされたことを意味する。単に再生したとしても最終記録には反映されなくてよい。）、空き容量、総容量、ファイル数、ディレクトリ数、メーカ名等である。UDF（Universal Disk Format）では、LVID（Logical Volume Integrity Descriptor）が使用できる。これらの「固有情報」と「履歴情報」は、後に説明する初期処理を経ずとも映像記録再生装置から取得できる記録媒体のエリアに記録しておく。また、図１の不揮発性メモリ108に格納されたプログラムを制御部106で実行して記録媒体からライブラリ管理情報（管理情報とも呼ぶ）を取得するハードウェアを管理情報取得部ともいう。
【００１４】
＜映像記録再生装置での記録媒体の内容を記録する場合のライブラリ情報及びライブラリ管理情報の更新の説明＞
映像記録再生装置において記録媒体にコンテンツを記録した場合、記録媒体からライブラリ情報およびライブラリ管理情報を取得し最新の情報に更新する。
【００１５】
過去に挿入されたことがある記録媒体であれば、映像記録再生装置内にライブラリ情報およびライブラリ管理情報が記録されているので、その情報を更新すればよい。もし、その記録媒体が初めて挿入された記録媒体であれば、新たにライブラリ管理情報を映像記録再生装置内に記録（登録）し、そのライブラリ管理情報に対応したライブラリ情報を取得し映像記録再生装置内に記録するので、その情報を更新すればよい。ライブラリ管理情報の新たな登録は、媒体挿入時であってもよいし、その映像記録再生装置でその記録媒体に初めてコンテンツを記録するときであってもよい。
【００１６】
＜初期処理の説明＞
記録媒体の中には、所定の処理時間がかかる初期処理が必要なものが存在する。デジタルコンテンツを取り扱う場合に必要なコンテンツ保護の処理も、当該初期処理に含まれていることが多い。映像記録再生装置と記録媒体とにおける初期処理の手順例を図12を用いて説明する。
【００１７】
図12の映像記録再生装置側の制御部と、ファイルシステム部と、セキュア制御部（認証部ともいう）は、図1の制御部106に含まれ、より具体的にはメモリ108に格納したプログラムを制御部106で実行して実現される。記録媒体側の記録媒体制御部と記録媒体セキュア制御部は、図1の第二記録媒体に含まれ、より具体的には第二記録媒体のカートリッジ内のLSIによって実現される。第一記録媒体も同様であってもよい。
【００１８】
記録媒体が映像記録再生装置に挿入されるあるいは、記録媒体を内蔵している映像記録再生装置の場合は電源を立ち上げた際、映像記録再生装置はまず、記録媒体のデータや管理ファイルを管理するファイルシステム部とコンテンツ保護を実現するセキュア制御部に対して初期化を行う。（図12のS1201、S1202）。次に、ファイルシステム部は、記録媒体に対してマウント処理を行う（図12のS1203、S1204）。マウントとは、ハードディスクや光ドライブなどの外部記憶装置やネットワークドライブなどのファイルにOSがアクセスできるよう、ソフトウェア的に行なわれる接続処理のことである。正常にマウント処理が完了した後、記録媒体のコンテンツ保護機能が正常かどうかを確認するために、セキュア認証処理を行う（図12のS1205、S1206）。記録媒体のコンテンツを保護する目的のセキュア技術としては、例えばSAFIA（Security Architecture For Intelligent Attachment device：サファイア）がある。セキュア認証が完了した後は、記録媒体として使用することが可能となり、記録媒体中のコンテンツにアクセス可能となる。これらの初期処理は、各記録媒体に対して実施、すなわち映像記録再生装置に複数の記録媒体が挿入されている場合、それぞれに対して一対一で実施する。
【００１９】
また、図１の不揮発性メモリ108に格納されたプログラムを制御部106で実行して記録媒体に初期処理を実行させるハードウェアを初期処理実行部ともいい、例えば図12の制御部と、ファイルシステム部と、セキュア制御部を含む。
【００２０】
＜ライブラリ情報を表示する手順の例＞
では、上述したように初期処理（起動処理）に時間がかかる記録媒体を用いた場合であっても、ライブラリ情報を比較的迅速に表示する処理について、図2を用いて説明する。
【００２１】
図2は、映像記録再生装置に着脱可能な第二記録媒体110を挿入した際に映像記録再生装置が第二記録媒体に対して実行する処理の例を示す。
【００２２】
第二記録媒体110を映像記録再生装置に挿入すると（図2のS201）、挿入されたことを示す挿入通知を映像記録再生装置は受け取る（図2のS202）。ここでは、説明を分かりやすくするために第二記録媒体110から映像記録再生装置に挿入通知を送信しているが、第二記録媒体110が挿入されたことを映像記録再生装置がハードウェア的に検出してもよい。また、映像記録再生装置は、第二記録媒体110が挿入されたことを検知すると、図6に示すように、例えば「iVDRが挿入されたました」とのメッセージを表示して、ユーザに挿入されたことを通知してもよい。なお、通知は他のメッセージや音声等でもよく、その点は他の画面例でも同様である。
【００２３】
第二記録媒体110の「固有情報」を取得する（図2のS203、S204）。また、第二記録媒体110の「履歴情報」を取得する（図2のS205、S206）。ここで、「固有情報」および「履歴情報」の取得順序は問わない。
【００２４】
映像記録再生装置は、第二記録媒体110に対して初期処理を行う（図2のS207）。第二記録媒体110は当該初期処理（図2のS213）の間は映像コンテンツやライブラリ情報にアクセスすることができないのが一般的である。先に説明したとおり、初期処理においてドライバの初期化やセキュア認証などを実施しているので初期処理が完了して初めて、記録媒体として使用できるためである。なお、初期処理の必要のない記録媒体もあり、そのような記録媒体であることを判別した場合には初期処理（図2のS213）は省略される。
【００２５】
しかし、本処理では、この初期処理の前に、「固有情報」「履歴情報」を取得するようにしているため、この初期処理を待たずとも、ライブラリ情報又はメッセージを表示できる。なお、初期化前ではなく「固有情報」「履歴情報」を「初期処理」と並行して取得してもよい。
【００２６】
具体的には、例えば図5の画面例においては、複数の記録媒体を区別するために#1のようなIDを付しており、このIDが「固有情報」と関連付けされて保存されている（これらの情報をここではライブラリ管理情報と呼ぶとする）。つまり、記録媒体等に保存してある「固有情報」の中から、挿入された第二記録媒体110から取得した「固有情報」が存在するかを検索し、存在すればライブラリ情報を保持していることを意味し、存在しなければ、その記録媒体に対応したライブラリ情報がないことを意味する（図2のS208）。
【００２７】
もし、ライブラリ情報と関連付けされている「固有情報」が存在しなければ現在挿入されている第二記録媒体110のライブラリ情報がないことを、図7のように、例えば「ライブラリ（情報）が見つかりません。データを更新します、しばらくお待ちください。」と表示して、ユーザに通知する（図2のS209）。なお、「ライブラリに登録されていない記録媒体です。データを更新しますのでしばらくお待ちください。」といったメッセージでもよい。
【００２８】
ライブラリ情報が見つからなかった場合は、第二記録媒体110の初期処理が終了した後（図2のS214）、挿入された第二記録媒体110から新たにライブラリ情報を取得する（図2のS215）。第二記録媒体110からライブラリ情報を取得した後（図2のS216）、映像記録再生装置が保持しているライブラリ情報を更新し（図2のS217）、該新しいライブラリ情報を表示する（図2のS218）。
【００２９】
もし、ライブラリ情報と関連付けされている「固有情報」が存在する場合は、挿入した第二記録媒体110に対応するライブラリ情報を固有情報をキーにして呼び出し、例えば図8のように表示する（図2のS210）。図8の例では、挿入されたiVDRに対して映像記録再生装置が付した固有情報＝IDは#11で、その#11のライブラリ情報を表示している。
【００３０】
次に第二記録媒体110から取得した「履歴情報」と映像記録再生装置が保持している「履歴情報」とを比較し、挿入した第二記録媒体110の内容が更新されているかどうかを判定する（図2のS211）。例えば履歴情報として、最終記録時間に注目した場合、映像記録再生装置が保持している最終記録時間と取得した最終記録時間が異なっている場合、第二記録媒体110の内容は更新されていることが分かる。これは、第二記録媒体110の初期処理後、各番組にアクセスし内容を比較するのと比べて早くできる。また、内容はコンテンツともいい、例えばテレビ番組の音声映像情報である。
【００３１】
もし、挿入された第二記録媒体110の内容が更新されていなければ表示はS210で表示したままとする。もし更新されていれば、第二記録媒体110の初期処理が終了した後（図2のS214）、挿入された第二記録媒体110から新たにライブラリ情報を取得する（図2のS215）。このとき、更新されていることが分かった時点で、「挿入された記録媒体の内容が更新されています。」や「ライブラリ情報を更新します。しばらくお待ちください。」などのメッセージを表示しても良い。ただし、記録媒体の内容がそれほど大幅に変わらない状況ではユーザに更新前のライブラリ情報を見せることが望ましい。
【００３２】
第二記録媒体110からライブラリ情報を取得した後（図2のS216）、映像記録再生装置が保持しているライブラリ情報を更新し（図2のS217）、該新しいライブラリ情報を表示する（図2のS218）。ライブラリを更新しているときは、例えば図9のように「ライブラリ更新中」である旨のメッセージを表示し、更新し終わった後には、例えば図10のように表示する。図10において点線部1000が、ライブラリの更新によって追加された箇所である。
【００３３】
＜電源投入時の手順の例＞
所定時間の処理時間がかかる初期処理が必要な記録媒体を装着している映像記録再生装置の電源を投入すると、少なくとも該記録媒体の初期化終了までは、記録媒体の情報にアクセスできない。そこで、ユーザが電源投入時においても、記録媒体の情報にアクセスできるような手順について図3を用いて説明する。
【００３４】
まず、映像記録再生装置の電源を投入すると、第一記録媒体105の固有情報と履歴情報とを取得する（図3のS301からS305）。第一記録媒体105が初期処理の間（図3のS305〜S311）、第一記録媒体105にはアクセスできないが、ライブラリ情報が第一記録媒体105および第二記録媒体110以外の記録媒体（例えば不揮発性メモリ）に保存している場合、第一記録媒体105の固有情報と履歴情報を取得すると、ユーザは第一記録媒体のライブラリ情報や記録媒体の容量状況などの情報を確認することが可能となる。
【００３５】
第二記録媒体110についても同様で、まず、第二記録媒体110の固有情報と履歴情報を取得する（図3のS306からS309）。第二記録媒体110の初期化を開始する（図3のS310）。第一記録媒体105が初期処理の間（図3のS310〜S312）、第二記録媒体110にはアクセスできないが、ライブラリ情報が第一記録媒体105および第二記録媒体110以外の記録媒体に保存している場合、第二記録媒体110の固有情報と履歴情報を取得すると、ユーザは第一記録媒体のライブラリ情報や記録媒体の容量状況などの情報を確認することが可能となる。第一記録媒体105に第二記録媒体110のライブラリ情報が保存されている場合は、第一記録媒体105の初期化終了まで待つ。ここで起動順を複数の記録媒体のライブラリ情報を保存している
＜リモコンを利用してライブラリ情報を確認する手順の例＞
先に説明した例では、着脱可能な第二記録媒体110を映像記録再生装置が具備するスロット107に挿入して使用するというものであった。映像記録再生装置が具備するスロット107以外の装置に挿入して使用する例を図4、図11を用いて説明する。
【００３６】
図11は、リモコン1001の外観例を示す図である。1002は、着脱可能な記録媒体を挿入するためのスロット、1003は様々な情報を表示する表示装置である。本実施例において、ライブラリ管理情報はリモコン1001のメモリおよび映像記録再生装置の第一記録媒体に保存されていると仮定している。
【００３７】
図４は、リモコン1001と映像記録再生装置が連動し、着脱可能な第二記録媒体110のライブラリ情報を表示する処理の例を示す。
【００３８】
第二記録媒体110をリモコン1001のスロット1002に挿入すると（図4のS401）、挿入されたことを示す挿入通知を映像記録再生装置は受け取る（図4のS402）。ここでは、説明を分かりやすくするために第二記録媒体110から映像記録再生装置に挿入通知を送信しているが、第二記録媒体110が挿入されたことをリモコン1001がハードウェア的に検出してもよい。
【００３９】
映像記録再生装置は、第二記録媒体110が挿入されたことを検知すると、次に第二記録媒体110の「固有情報」「履歴情報」を取得する（図4のS403からS405）。ここで、「固有情報」および「履歴情報」の取得順序は問わない。
【００４０】
リモコン1001は、第二記録媒体110に対して初期処理を行う（図4のS407）。
【００４１】
一報、装置は、リモコン1001のメモリに保存してあるライブラリ管理情報の中に挿入された第二記録媒体110から取得した「固有情報」が存在するかを検索する（図4のS409）。もし、存在しないならば、映像記録再生装置に対して、第二記録媒体110のライブラリ情報を保持しているかどうかを問い合わせる（図4のS410）。このとき、第二記録媒体110から取得した「固有情報」を映像記録再生装置に送信するのがよい。映像記録再生装置は、第一記録媒体に保存してあるライブラリ管理情報の中に挿入された第二記録媒体110から取得した「固有情報」が存在するかを検索する（図4のS411）。もし、存在すればリモコン1001に対して第二記録媒体110に対応したライブラリ情報を送信する（図4のS412）。この時、第二記録媒体110の履歴情報も併せて送信する。また、もし存在しなければ、リモコンにエラーあるいは存在していないことを示すメッセージを送信し（図4のS413）、第二記録媒体110の初期化終了を待つ。
【００４２】
リモコン1001のメモリに第二記録媒体110のライブラリ情報が存在するかあるいは、映像記録再生装置から第二記録媒体110のライブラリ情報を取得すると、リモコン1001の表示部1003に第二記録媒体110のライブラリ情報を表示する（図4のS414）。
【００４３】
次に第二記録媒体110から取得した「履歴情報」とリモコン1001あるいは映像記録再生装置が保持している「履歴情報」とを比較し、挿入した第二記録媒体110の内容が更新されているかどうかを判定する（図4のS415）。もし、挿入した第二記録媒体110の内容が更新されていなければ表示はそのままであり、もし更新されていれば、ライブラリ情報を更新中であることをユーザに通知し（図4のS416）、第二記録媒体110の初期処理が終了した後（図4のS417）、挿入された第二記録媒体110から新たにライブラリ情報を取得する（図4のS418）。第二記録媒体110からライブラリ情報を取得した後（図4のS419）、映像記録再生装置が保持しているライブラリ情報を送信し（図4のS423）、リモコン1001が保持しているライブラリ情報を更新し（図4のS420）、該新しいライブラリ情報を表示する（図4のS421）。リモコン1001が第二記録媒体110のライブラリ情報を受け取った映像記録再生装置は、ライブラリ情報を更新する。
【図面の簡単な説明】
【００４４】
【図１】映像記録再生装置の構成例を示すブロック図
【図２】映像記録再生装置に記録媒体が挿入されたときの処理例を示すフローチャート
【図３】映像記録再生装置に電源が投入されたとき処理例を示すフローチャート
【図４】リモコンに媒体が挿入されたときの処理例を示すフローチャート
【図５】画面例（１）：ＩＤ＝＃１の記録媒体のライブラリ情報の表示例
【図６】画面例（２）：記録媒体が挿入されたときの表示例
【図７】画面例（３）：挿入された記録媒体に対応するライブラリ情報が映像記録再生装置で見つからなかったときの表示例
【図８】画面例（４）：ＩＤ＝＃１１の記録媒体が挿入され、対応するライブラリ情報が映像記録再生装置で見つかったときのライブラリ情報の表示例
【図９】画面例（５）：ＩＤ＝＃１１の記録媒体が他の映像記録再生装置で更新されていたときの表示例
【図１０】画面例（６）：記録媒体の起動処理（初期処理）後に、ＩＤ＝＃１１の記録媒体に対応するライブラリ情報を更新したときの表示例
【図１１】リモコンの構成例を示す外観図
【図１２】映像記録再生装置と記録媒体とにおける初期化の処理例を示すフローチャート
【符号の説明】
【００４５】
100：映像記録再生装置
101、1001：リモートコントローラ
110：第二記録媒体
1002：リモートコントローラのスロット
1003：リモートコントローラの表示部
【図１】
2008226418.tif 000003
【図２】
2008226418.tif 000004
【図３】
2008226418.tif 000005
【図４】
2008226418.tif 000006
【図５】
2008226418.tif 000007
【図６】
2008226418.tif 000008
【図７】
2008226418.tif 000009
【図８】
2008226418.tif 000010
【図９】
2008226418.tif 000011
【図１０】
2008226418.tif 000012
【図１１】
2008226418.tif 000013
【図１２】
2008226418.tif 000014